(57)【要約】【課題】内部加湿方式の燃料電池システムにおいて、燃料電池の運転条件や環境条件に因らずに燃料電池内部の水分バランスを常に最適な状態に保てるようにして、フラッディングの発生を有効に抑制できるようにする。【解決手段】制御ユニット２に、基準圧力設定手段３１、湿潤状態判定手段３２、目標圧力設定手段３３、反応ガス圧力制御手段３４、純水圧力制御手段３５の各手段を設ける。基準圧力設定手段３１は、要求出力及び燃料電池温度に基づき反応ガス及び純水の基準圧力を設定し、湿潤状態判定手段３２が燃料電池の湿潤状態を判定する。そして、燃料電池が水過剰状態にある場合には、目標圧力設定手段３３で、圧力差を増加させるように反応ガス或いは純水の基準圧力を補正してこれらの目標圧力を設定する。そして、反応ガス圧力制御手段３４及び純水圧力制御手段３５が、この目標圧力を実現するように、反応ガス供給系及び純水供給系の動作を制御する。【選択図】図２
2006032092.tif 000002
【特許請求の範囲】
【請求項１】
固体高分子膜よりなる電解質層の両面に電極層が設けられた膜・電極接合体が、当該膜・電極接合体との対向面に反応ガスを流通させる反応ガス流路が形成された一対のセパレータで挟持されて単セルが構成され、当該単セルが繰り返し並設された積層構造を有する固体高分子型の燃料電池であって、前記単セルを構成する一対のセパレータのうちの少なくとも一方が多孔質材料よりなり、当該多孔質材料よりなるセパレータの前記反応ガス流路が形成された面とは逆側の面に純水流路が形成されて、この純水流路を流通する純水によって加湿が行われる燃料電池と、
前記燃料電池に反応ガスを供給する反応ガス供給系と、
前記燃料電池に加湿用の純水を供給する純水供給系と、
前記燃料電池に供給される反応ガス及び純水の圧力を制御する制御装置とを備え、
前記制御装置が、
前記燃料電池に要求される出力と前記燃料電池の温度とに基づいて、前記燃料電池に供給される反応ガス及び純水の基準圧力を設定する基準圧力設定手段と、
前記燃料電池の湿潤状態を判定する湿潤状態判定手段と、
前記湿潤状態判定手段によって前記燃料電池が水過剰状態にあると判定されたときに、前記反応ガスの圧力と純水の圧力との圧力差を増加させるように、前記基準圧力設定手段で設定された基準圧力を補正して目標圧力を設定する目標圧力設定手段と、
前記目標圧力設定手段で設定された目標圧力を実現するように、前記反応ガス供給系と前記純水供給系との動作制御を行う動作制御手段とを備えることを特徴とする燃料電池システム。
【請求項２】
前記湿潤状態判定手段は、前記燃料電池の水過剰状態を当該燃料電池のセル電圧の変動幅から予測することを特徴とする請求項１に記載の燃料電池システム。
【請求項３】
前記目標圧力設定手段は、前記基準圧力設定手段で設定された純水の基準圧力を補正することで、前記反応ガスの圧力と純水の圧力との圧力差を増加させることを特徴とする請求項１又は２に記載の燃料電池システム。
【請求項４】
前記目標圧力設定手段は、前記基準圧力設定手段で設定された反応ガスのうちの酸化剤ガスの基準圧力を補正することで、当該酸化剤ガスの圧力と純水の圧力との圧力差を増加させることを特徴とする請求項１又は２に記載の燃料電池システム。
【請求項５】
前記多孔質材料よりなるセパレータの両面に形成された反応ガス流路及び純水流路は、少なくとも一部の流路同士が互いに平行となるように形成されていることを特徴とする請求項１乃至４の何れかに記載の燃料電池システム。
【発明の詳細な説明】
【技術分野】
【０００１】
本発明は、固体高分子型の燃料電池を使用した燃料電池システムに関し、特に燃料電池に直接純水を供給して加湿する内部加湿方式の燃料電池システムにおいて燃料電池内部の水分バランスを最適な状態に保つための技術に関する。
【背景技術】
【０００２】
燃料電池は、反応ガスである水素を含む燃料ガスと空気等の酸化剤ガスとを電気化学的に反応させることにより、燃料の持つ化学エネルギを直接電気エネルギに変換するものである。燃料電池は、排気がクリーンであること、高エネルギ効率であること等から、大気汚染や二酸化炭素による地球温暖化の問題等に対処し得る技術として注目されている。
【０００３】
燃料電池のアノード（燃料極）、カソード（酸化剤極）の両電極において進行する電極反応は、以下の通りである。
【０００４】
燃料極：２Ｈ２→４Ｈ＋＋４ｅ−  ・・・（１）
酸化剤極：４Ｈ＋＋４ｅ−＋Ｏ２→２Ｈ２Ｏ  ・・・（２）
燃料電池では、燃料極に水素が供給されると、燃料極で（１）式に示す反応が進行して水素が水素イオンと電子とに解離する。この水素イオンは電解質を透過（拡散）して酸化剤極に至り、電子は外部回路を通って酸化剤極に至る。このとき酸化剤極に空気等の酸化剤ガスが供給されていると、酸化剤極では（２）式の反応が進行する。この（１）式、（２）式に示す電極反応が各極で進行することで、燃料電池は起電力を生じることになる。
【０００５】
燃料電池は、電解質の違い等により様々なタイプのものに分類されるが、その一つとして、電解質に固体高分子膜を用いる固体高分子型の燃料電池が知られている。固体高分子型燃料電池は、低コストで小型化、軽量化が容易であり、しかも高い出力密度を有することから、例えば車両用電源としての用途が期待されている。
【０００６】
固体高分子型燃料電池の一般的な構成について説明すると、固体高分子型燃料電池では、固体高分子膜よりなる電極層の両側にアノード及びカソードとなる電極層が配置され、さらに各電極に接するようにガス拡散層がそれぞれ設けられる。これらを総合して膜・電極接合体（ＭＥＡ：Membrane Electrode Assembly）と呼ぶ。そして、この膜・電極接合体を挟持するように、反応ガスである燃料ガスや酸化剤ガスを流通させる反応ガス流路を膜・電極接合体との対向面に設けた一対のセパレータが配置される。これらセパレータは、ガスマニホールドと呼ばれる貫通孔の内部を流れる燃料ガス或いは酸化剤ガスを、それぞれ反応ガス流路を介してアノードやカソードに供給する機能を有する。また、セパレータは、以上のようなガス供給機能だけでなく、膜・電極接合体で生じた起電力により流れる電流を、膜・電極接合体と接するリブ部を介して集電する役割を担う。
【０００７】
これらを１つのユニットとして単セルと呼ぶ。固体高分子型の燃料電池は、通常、この単セルを直列に複数積層してスタックとしたものを指す。また、酸化剤極における電気化学反応は発熱反応であるため、その熱を冷却するための冷却液を流通させるため、冷却液流路を設けたセパレータが各単セル間、或いは所定の単セル数毎に挿入される場合もある。
【０００８】
ところで、以上のような固体高分子型の燃料電池においては、固体高分子膜は、飽和含水することによりイオン伝導性電解質として機能するとともに、水素と酸素とを分離する機能も有する。固体高分子膜の含水量が不足すると、イオン抵抗が高くなり、水素と酸素とが混合して燃料電池としての発電ができなくなってしまう。一方で、発電により燃料極で分離した水素イオンが電解質膜を通るときには、水も一緒に移動するため、燃料極側は乾燥する傾向にある。また、供給する水素または空気に含まれる水蒸気が少ないと、それぞれの反応ガス入口付近で固体高分子膜が乾燥する傾向にある。
【０００９】
このようなことから、固体高分子型燃料電池における固体高分子膜は、外部から水分を供給して積極的にこれを加湿する必要がある。そこで、固体高分子型燃料電池を備える燃料電池システムでは、通常、燃料ガスや酸化剤ガスを加湿した状態で燃料電池に供給することで、燃料電池の電解質として用いる固体高分子膜を積極的に加湿することが広く行われている。
【００１０】
このように燃料電池に供給する燃料ガスや酸化剤ガスを加湿するタイプの燃料電池システムは外部加湿方式の燃料電池システムと呼ばれるが、この外部加湿方式の燃料電池システムでは、燃料電池の外部に燃料ガスや酸化剤ガスを加湿するための加湿器や水回収装置を設ける必要があり、部品点数の増加やシステム構成の複雑化が避けられない。そこで、近年では、燃料電池内部に純水を直接供給し、加湿を行う内部加湿方式の燃料電池システムが提案されている（例えば、特許文献１等を参照）。
【００１１】
特許文献１にて開示される燃料電池システムでは、燃料電池の各単セルにおいて、膜・電極接合体のアノード側に隣接配置されるセパレータとカソード側に隣接配置されるセパレータとの少なくとも一方を多孔質材料よりなるポーラスプレートで構成し、この多孔質材料よりなるセパレータの反応ガス流路が形成された面とは逆側の面に純水流路を形成している。そして、この純水流路に純水を流通させて、反応ガス流路を流れる燃料ガスや酸化剤ガスとの間で多孔質材料よりなるセパレータを介して水分交換を行うことで、燃料電池内部での固体高分子膜の加湿を実現している。このような内部加湿方式の燃料電池システムでは、燃料ガス及び酸化剤ガスを加湿するための加湿器や水回収装置が不要となるため、システム構成を簡素化できるという利点がある。
【特許文献１】米国特許第６２４８４６２号明細書
【発明の開示】
【発明が解決しようとする課題】
【００１２】
ところで、前述の特許文献１にて開示される燃料電池システムでは、燃料電池での電気化学反応により生成される水を純水流路へと回収させるため、反応ガスの圧力が純水の圧力よりも高くなるように、これらの圧力を制御している。ここで、反応ガス圧力と純水圧力との圧力制御は、これらの差圧が常に予め定められた規定値以上となるように行われるが、これらの差圧があまり高くなると、多孔質材料よりなるセパレータの水シールが機能しなくなって反応ガスが純水流路側へと漏れ出すという問題が生じるため、これらの差圧が規定値に近い値で落ち着くように圧力制御を行っていた。
【００１３】
しかしながら、以上のような圧力制御を行った場合、高負荷時等、燃料電池での反応により多量の水が生成されたときに、この反応生成水を純水流路へと確実に回収させることが困難で、燃料電池内部が水過剰な状態となって反応ガス流路を液水が塞いでしまうフラッディング（水詰まり）と呼ばれる現象を生じさせてしまう場合がある。このフラッディングが発生すると、反応ガスの通流が阻害され、発電を安定して継続することが困難になる。
【００１４】
本発明は、以上のような従来の実情に鑑みて創案されたものであって、内部加湿方式の燃料電池システムにおいて、燃料電池の運転条件や環境条件に因らずに燃料電池内部の水分バランスを常に最適な状態に保てるようにして、フラッディングの発生を有効に抑制することが可能な燃料電池システムを提供することを目的としている。
【課題を解決するための手段】
【００１５】
本発明の燃料電池システムは、固体高分子型の燃料電池を備え、この燃料電池内部に加湿用の純水を直接供給する内部加湿方式の燃料電池システムである。内部加湿方式の燃料電池システムでは、燃料電池に供給される反応ガスの圧力が純水の圧力よりも高くなるように制御されるが、特に本発明では、燃料電池が水過剰状態にあると判定されたときに、これら反応ガスの圧力と純水の圧力との圧力差を増加させるように、これらの圧力を制御するようにしている。
【００１６】
そのための具体的な構成として、本発明の燃料電池システムは、燃料電池に供給される反応ガス及び純水の圧力を制御する制御装置を備え、この制御装置が、基準圧力設定手段、湿潤状態判定手段、目標圧力設定手段、動作制御手段の各手段を備えている。
【００１７】
基準圧力設定手段では、燃料電池に要求される出力と燃料電池の温度とに基づいて、燃料電池に供給される反応ガス及び純水の基準圧力が設定される。また、湿潤状態判定手段では、燃料電池の湿潤状態が判定される。目標圧力設定手段は、湿潤状態判定手段によって燃料電池が水過剰状態にあると判定されたときに、反応ガスの圧力と純水の圧力との圧力差を増加させるように、基準圧力設定手段で設定された基準圧力を補正して、目標圧力を設定する。そして、動作制御手段が、目標圧力設定手段で設定された目標圧力を実現するように、反応ガス供給系と純水供給系との動作制御を行う。
【発明の効果】
【００１８】
本発明の燃料電池システムによれば、燃料電池に要求される出力と燃料電池の温度とに基づいて反応ガス及び純水の基準圧力が設定され、燃料電池が水過剰状態にあると判定されたときには、反応ガスの圧力と純水の圧力との圧力差を増加させるように基準圧力が補正されて目標圧力が設定され、この目標圧力を実現するように反応ガス供給系と純水供給系との動作制御が行われるので、燃料電池の運転条件や環境条件に因らず、常に燃料電池のフラッディング発生を有効に抑制することができる。
【発明を実施するための最良の形態】
【００１９】
以下、本発明を適用した燃料電池システムの具体的な実施形態について、図面を参照して説明する。
【００２０】
（第１の実施形態）
本発明を適用した燃料電池システムの概略構成を図１に示す。この燃料電池システムは、電解質に固体高分子膜を用いた固体高分子型の燃料電池１を備え、この燃料電池１の内部に加湿用の純水を直接供給して加湿を行う内部加湿方式の燃料電池システムとして構成されている。そして、この燃料電池システムは、燃料電池１内部の湿潤状態を判定して、その判定結果に応じて燃料電池１に供給する反応ガス（燃料ガスや酸化剤ガス）の圧力と加湿用の純水の圧力との圧力差を制御する点に大きな特徴を有している。
【００２１】
この燃料電池システムには、燃料電池１の他、主要な構成要素として、燃料電池１に水素を含む燃料ガスを供給する燃料ガス供給系、及び燃料電池１に空気等の酸化剤ガスを供給する酸化剤ガス供給系（反応ガス供給系）と、燃料電池１を最適な温度に保つための冷却液を供給する冷却液供給系と、燃料電池１に加湿用の純水を供給する純水供給系と、燃料電池システム全体の動作を制御する制御ユニット２とが設けられている。
【００２２】
燃料ガス供給系は、水素タンク等の燃料ガス供給装置３を有し、この燃料ガス供給装置３から取り出された燃料ガスが、調圧バルブ４にて所望の圧力に調整された上で、燃料ガス供給配管５を介して燃料電池１のアノード側へと供給されるようになっている。
【００２３】
燃料ガス供給配管５を流れる燃料ガスの圧力は圧力センサ６によって検出され、制御ユニット２が圧力センサ６の検出値をフィードバックして調圧バルブ４の動作を制御することによって、燃料電池１のアノード側の圧力が所望の圧力に保たれる。また、燃料電池１のアノード側出口には燃料ガス排出配管７が接続されており、燃料電池１のアノード側から排出されたアノードオフガスは、この燃料ガス排出配管７を通って外部に導かれる。
【００２４】
酸化剤ガス供給系は、エアコンプレッサ等の酸化剤ガス供給装置８を有し、この酸化剤ガス供給装置８からの酸化剤ガスが、酸化剤ガス供給配管９を介して燃料電池１のカソード側へと供給されるようになっている。
【００２５】
また、燃料電池スタック１のカソード側出口には酸化剤ガス排出配管１０が接続されており、燃料電池１のカソード側から排出されたカソードオフガスは、この酸化剤ガス排出配管１０を通って外部に導かれる。酸化剤ガス供給配管９を流れる酸化剤ガスの圧力は圧力センサ１２によって検出される。また、酸化剤ガス排出配管１０中には調圧バルブ１３が設けられており、制御ユニット２が圧力センサ１２の検出値をフィードバックしてこの調圧バルブ１３の動作を制御することによって、燃料電池１のカソード側の圧力が所望の圧力に保たれるようになっている。
【００２６】
冷却液供給系は、不凍液である冷却液を貯留する冷却液タンク１４やこの冷却液を循環させる冷却液循環配管１５及び冷却液ポンプ１６を有し、例えば水にエチレングリコール等の凍結防止剤を混入した冷却液が、制御ユニット２によって動作制御される冷却液ポンプ１６の駆動によって冷却液タンク１４から取り出され、冷却液循環配管１５を流れて燃料電池１に供給されるようになっている。
【００２７】
冷却液循環配管１５の中途部にはラジエータ１７が設置されており、燃料電池１の冷却により加熱された冷却液は、このラジエータ１７を通過する過程で図示しないラジエータファンの送風によって冷却される。また、冷却液循環配管１５には、ラジエータ１７と並列にバイパス配管１８が接続されており、その分岐部分にはバイパスバルブ１９が設けられている。冷却液循環配管１５を流れる冷却液の温度は温度センサ２０によって検出され、制御ユニット２が温度センサ２０の検出値に基づいてバイパスバルブ１９の動作を制御することによって、ラジエータ１７を通過する冷却液流量とバイパス配管１８を通過する冷却液流量とが調整されて、冷却液の温度制御が行われ、燃料電池１が最適な温度に保たれる。
【００２８】
純水供給系は、燃料電池１の電解質として用いられている固体高分子膜を加湿するための純水を貯留する純水タンク２１やこの純水を循環させる純水循環配管２２及び純水ポンプ２３を有し、制御ユニット２によって動作制御される純水ポンプ２３の駆動によって純水タンク２１から加湿用の純水が取り出され、純水循環配管２２を流れて燃料電池１に供給されるようになっている。
【００２９】
純水循環配管２２を流れる加湿用の純水の圧力は圧力センサ２４によって検出され、制御ユニット２が圧力センサ２４の検出値に基づいて純水ポンプ２３の動作を制御することによって、燃料電池１に供給される純水の圧力が所望の圧力に保たれるようになっている。また、純水タンク２１には水位センサ２５及び排水バルブ２６が設置されており、水位センサ２５の検出値から純水量が過剰となっていると判断される場合には、制御ユニット２が排水バルブ２６を開放することによって、余剰の純水を外部に排出できるようになっている。
【００３０】
また、本発明を適用した燃料電池システムでは、燃料電池１に温度センサ２７及びセル電圧センサ２８が設置されており、これら温度センサ２７及びセル電圧センサ２８によって、燃料電池１の温度と、燃料電池１を構成する各単セルの電圧とを検出できるようになっている。これら温度センサ２７やセル電圧センサ２８の検出値は、他のセンサ検出値と同様に制御ユニット２へと送られる。
【００３１】
制御ユニット２は、上述したように、燃料電池システム全体の動作制御を行うものであるが、特に、本発明を適用した燃料電池システムでは、この制御ユニット２が、燃料電池１内部の湿潤状態を判定して、その判定結果に応じて、燃料ガス供給系から燃料電池１のアノード側に供給される燃料ガス、或いは酸化剤ガス供給系から燃料電池１のカソード側に供給される酸化剤ガス（以下、燃料ガスと酸化剤ガスとを特に区別しないときは反応ガスと総称する。）の圧力と、純水供給系から燃料電池１に供給される加湿用の純水の圧力との圧力差を制御する機能を有している。
【００３２】
図２は、制御ユニット２に実現される機能のうちで、本発明を適用した燃料電池システムに特徴的な機能に関わる部分を表す機能ブロック図である。この図２に示すように、本発明を適用した燃料電池システムでは、制御ユニット２が、基準圧力設定手段３１と、湿潤状態判定手段３２と、目標圧力設定手段３３と、反応ガス圧力制御手段３４と、純水圧力制御手段３５とを有している。
【００３３】
基準圧力設定手段３１は、燃料電池１に要求される出力と温度センサ２７によって検出される燃料電池１の温度とに基づいて、燃料電池１に供給される反応ガスの基準圧力ＰＢＡＳＥ＿Ｒと、燃料電池１に供給される加湿用の純水の基準圧力ＰＢＡＳＥ＿Ｗとを設定するものである。ここで、反応ガスの基準圧力ＰＢＡＳＥ＿Ｒと純水の基準圧力ＰＢＡＳＥ＿Ｗとは、反応ガスの基準圧力ＰＢＡＳＥ＿Ｒが純水の基準圧力ＰＢＡＳＥ＿ＷよりもΔＰ１分だけ高くなるように、すなわち反応ガスの基準圧力ＰＢＡＳＥ＿Ｒと純水の基準圧力ＰＢＡＳＥ＿Ｗとの圧力差がΔＰ１となるように設定される。
【００３４】
湿潤状態判定手段３２は、セル電圧センサ２８によって検出される燃料電池１のセル電圧に基づいて、燃料電池１の湿潤状態を判定するものである。すなわち、燃料電池１が水過剰状態となると、セル電圧の変動幅が大きくなる傾向にあるので、湿潤状態判定手段３２はセル電圧センサ２８によって検出されるセル電圧の変動幅に基づいて、燃料電池１が水過剰状態となっているか否かを判定する。また、燃料電池１が乾燥状態となると、セル電圧が低下してくる傾向にあるので、湿潤状態判定手段３２はセル電圧センサ２８によって検出されるセル電圧の低下度合いに基づいて、燃料電池１が乾燥状態となっているか否かを判定する。
【００３５】
目標圧力設定手段３３は、湿潤状態判定手段３２によって判定された燃料電池１の湿潤状態に応じて、基準圧力設定手段３１で設定された反応ガスの基準圧力ＰＢＡＳＥ＿Ｒ、或いは純水の基準圧力ＰＢＡＳＥ＿Ｗを補正して、反応ガスの目標圧力ＰＴＡＲＧＥＴ＿Ｒと純水の目標圧力ＰＴＡＲＧＥＴ＿Ｗとを設定するものである。すなわち、湿潤状態判定手段３２によって燃料電池１の湿潤状態が適正範囲内にあり、水過剰状態にも乾燥状態にもなっていないと判定された場合には、目標圧力設定手段３３は、基準圧力設定手段３１で設定された反応ガスの基準圧力ＰＢＡＳＥ＿Ｒ及び純水の基準圧力ＰＢＡＳＥ＿Ｗをそのまま反応ガスの目標圧力ＰＴＡＲＧＥＴ＿Ｒ及び純水の目標圧力ＰＴＡＲＧＥＴ＿Ｗとして設定するが、湿潤状態判定手段３２によって燃料電池１が水過剰状態にあると判定された場合には、目標圧力設定手段３３は、反応ガスの圧力と純水の圧力との圧力差がΔＰ１よりも大きくなるように、反応ガスの基準圧力ＰＢＡＳＥ＿Ｒ或いは純水の基準圧力ＰＢＡＳＥ＿Ｗを補正して、反応ガスの目標圧力ＰＴＡＲＧＥＴ＿Ｒと純水の目標圧力ＰＴＡＲＧＥＴ＿Ｗとを設定する。また、湿潤状態判定手段３２によって燃料電池１が乾燥状態にあると判定された場合には、目標圧力設定手段３３は、反応ガスの圧力と純水の圧力との圧力差がΔＰ１よりも小さくなるように、反応ガスの基準圧力ＰＢＡＳＥ＿Ｒ或いは純水の基準圧力ＰＢＡＳＥ＿Ｗを補正して、反応ガスの目標圧力ＰＴＡＲＧＥＴ＿Ｒと純水の目標圧力ＰＴＡＲＧＥＴ＿Ｗとを設定する。
【００３６】
反応ガス圧力制御手段３４は、目標圧力設定手段３３で設定された反応ガスの目標圧力ＰＴＡＲＧＥＴ＿Ｒを実現するように、燃料ガス供給系に設けられた調圧バルブ４、或いは酸化剤ガス供給系に設けられた調圧バルブ１３の動作を制御するものである。すなわち、反応ガス圧力制御手段３４は、燃料電池１に供給される燃料ガスの圧力を制御する場合には、圧力センサ６によって検出される燃料ガスの圧力が、目標圧力設定手段３３で設定された反応ガスの目標圧力ＰＴＡＲＧＥＴ＿Ｒとなるように、調圧バルブ４に対して駆動指令を出力して、この調圧バルブ４の動作を制御する。また、反応ガス圧力制御手段３４は、燃料電池１に供給される酸化剤ガスの圧力を制御する場合には、圧力センサ１２によって検出される酸化剤ガスの圧力が、目標圧力設定手段３３で設定された反応ガスの目標圧力ＰＴＡＲＧＥＴ＿Ｒとなるように、調圧バルブ１３に対して駆動指令を出力して、この調圧バルブ１３の動作を制御する。
【００３７】
純水圧力制御手段３５は、目標圧力設定手段３３で設定された純水の目標圧力ＰＴＡＲＧＥＴ＿Ｗを実現するように、純水供給系に設けられた純水ポンプ２３の動作を制御するものである。すなわち、純水圧力制御手段３５は、圧力センサ２４によって検出される純水の圧力が、目標圧力設定手段３３で設定された純水の目標圧力ＰＴＡＲＧＥＴ＿Ｗとなるように、純水ポンプ２３に対して駆動指令を出力して、この純水ポンプ２３の動作を制御する。
【００３８】
本発明を適用した燃料電池システムでは、制御ユニット２における以上の各手段での処理によって、燃料電池１に要求される出力と燃料電池１の温度とに基づいて反応ガス及び純水の基準圧力が設定され、燃料電池１が水過剰状態にあると判定されたときには、反応ガスの圧力と純水の圧力との圧力差を増加させるように基準圧力が補正されて目標圧力が設定され、また、燃料電池１が乾燥状態にあると判定されたときには、反応ガスの圧力と純水の圧力との圧力差を減少させるように基準圧力が補正されて目標圧力が設定され、この目標圧力を実現するように反応ガス供給系と純水供給系との動作制御が行われることになる。
【００３９】
図３は、本実施形態の燃料電池システムで使用される固体高分子型の燃料電池１の単セル構造を示す断面図である。この燃料電池１の単セルは、図３に示すように、膜・電極接合体４１と、アノードセパレータ４２及びカソードセパレータ４３と、冷却プレート４４とから構成される。
【００４０】
膜・電極接合体４１は、固体高分子膜よりなる電解質層の両面にアノード及びカソードとなる電極層が配置され、さらに各電極に接するようにガス拡散層がそれぞれ設けられてなる。固体高分子膜は、例えばフッ素樹脂系イオン交換膜等のイオン（プロトン）伝導性を有する膜であり、飽和含水することによりイオン伝導性電解質として機能する。また、電極層は、白金または、白金とその他の金属からなる触媒を含有するカーボンからなり、触媒の存在する面が電解質層と接触するように形成されている。ガス拡散層は、ガス拡散効果によって電極層に反応ガスを供給するものである。
【００４１】
この膜・電極接合体４１では、アノード側に燃料ガスが供給されると、燃料ガス中の水素が水素イオン（プロトン）と電子とに解離し、水素イオンは電解質層を通過し、電子は外部回路を通って電力を発生させ、カソード側へとそれぞれ移動する。このときカソード側に酸化剤ガスが供給されていると、カソード側では酸化剤ガス中の酸素とアノード側から移動してきた水素イオン及び電子が反応して水が生成される。
【００４２】
アノードセパレータ４２及びカソードセパレータ４３は、膜・電極接合体４１のアノード側に燃料ガス、カソード側に酸化剤ガスをそれぞれ供給すると共に、膜・電極接合体４１で生じた起電力により流れる電流を集電する機能を有するものであり、膜・電極接合体４１をその両側から挟み込むようにして各々配置されている。アノードセパレータ４２の膜・電極接合体４１と接する面には、燃料ガスを流通させる燃料ガス流路４２ａが形成されている。また、カソードセパレータ４２の膜・電極接合体４１と接する面には、酸化剤ガスを流通させる酸化剤ガス流路４３ａが形成されている。
【００４３】
また、冷却プレート４４は、冷却液を流通させて燃料電池１の温度調整を行うためのものであり、冷却液を流通させる冷却液流路４４ａが形成されて、例えば各単セル毎に１枚ずつ配置されている。
【００４４】
本発明を適用した燃料電池システムは内部加湿方式の燃料電池システムであるので、燃料電池１の単セルを構成するアノードセパレータ４２とカソードセパレータ４３の少なくとも何れか一方のセパレータ（本実施形態ではカソードセパレータ４３）は、多孔質材料よりなるポーラスプレートで構成されている。また、他方のセパレータ（本実施形態ではアノードセパレータ４２）と冷却プレート４４がソリッドプレートで構成されている。そして、ポーラスタイプのカソードセパレータ４３には、酸化剤ガス流路４３ａが形成された面とは逆側の面に、加湿用の純水を流通させる純水流路４３ｂが形成されている。この純水流路４３ｂに純水を流通させることで、ポーラスタイプのカソードセパレータ４３内部の空間（孔）は純水で満たされることになる。ポーラスタイプのカソードセパレータ４３は、このように内部の空間が純水で満たされることによって、この水によるシール機能が働いて、酸化剤ガス流路４３ａを流れる酸化剤ガスが純水流路４３ｂ側へと漏れ出すことが防止される。
【００４５】
なお、本実施形態ではカソードセパレータ４３のみをポーラスタイプとしているが、アノードセパレータ４２のみにポーラスプレートを用いる、或いはアノードセパレータ４２とカソードセパレータ４３の両方にポーラスプレートを用いるようにしてもよい。
【００４６】
図４は、ポーラスタイプのセパレータであるカソードセパレータ４３の平面図であり、図４（ａ）が酸化剤ガス流路４３ａが形成された面、図４（ｂ）が純水流路４３ｂが形成された面をそれぞれ示している。上述したように、燃料電池１には反応ガスである燃料ガス及び酸化剤ガスと、温度調整のための冷却液と、加湿用の純水とが供給されるので、各単セルのセパレータ４２，４３及び冷却プレート４４には、燃料ガス供給マニホールド４５及び燃料ガス排出マニホールド４６、酸化剤ガス供給マニホールド４７及び酸化剤ガス排出マニホールド４８、冷却液供給マニホールド４９及び冷却液排出マニホールド５０、純水供給マニホールド５１及び純水排出マニホールド５２の計８つのマニホールドが、厚み方向に貫通するように形成されている。
【００４７】
カソードセパレータ４３の酸化剤ガス流路４３ａは、図４（ａ）に示すように、入口側平行流路を流れる酸化剤ガスが集合流路で折り返されて出口側平行流路を流れるリターンタイプのフローパターンとされており、入口側平行流路が酸化剤ガス供給マニホールド４７に、出口側平行流路が酸化剤ガス排出マニホールド４８にそれぞれ接続されている。また、カソードセパレータ４３の純水流路４３ｂは、図４（ｂ）に示すように、酸化剤ガス流路４３ａの入口側平行流路及び出口側平行流路とは直交する方向に形成された平行流路を、入口側から出口側に向かって純水が流れるフローパターンとされており、平行流路の一端側が純水供給マニホールド５１に接続され、平行流路の他端が純水排出マニホールド５２に接続されている。そして、純水流路４３ｂを流れる純水は、酸化剤ガス流路４３ａ側で見ると、出口側平行流路から入口側平行流路に向かって、これらと直交する方向に流れるようになっている。
【００４８】
したがって、酸化剤ガス供給マニホールド４７から酸化剤ガス流路４３ａの入口側平行流路に流れ込んだ乾燥状態の酸化剤ガスは、この入口側平行流路を流れる過程で、純水流路４３ｂを流れる純水によって加湿されることになる。また、集合流路で折り返されて出口側平行流路を流れる酸化剤ガスは、発電反応によって生じる生成水で水分過剰になる場合があるが、この出口側平行流路を流れる酸化剤ガスの水分過剰によって凝縮水が発生すると、その凝縮水が純水流路４３ｂの上流側へと受け渡され、純水流路４３ｂの上流側から下流側へと流れることで、酸化剤ガス流路４３ａの入口側平行流路での加湿に供される。
【００４９】
カソードセパレータ４３内における水移動の様子を図５に示す。なお、図５（ａ）は酸化剤ガス流路４３ａの出口側平行流路の部分（図４中のＡ−Ａ線）の断面図であり、図５（ｂ）は酸化剤ガス流路４３ａの入口側平行流路の部分（図４中のＢ−Ｂ線）の断面図である。
【００５０】
多孔質材料であるポーラスプレートよりなるカソードセパレータ４３内部には、多数の空間（孔）が存在するため、この空間を通じてカソードセパレータ４３内部を水が移動できるようになっている。ここで、水が移動するドライビングフォースは毛細管力であるため、水は余剰部分から不足部分へと自然に移動していくことになる。したがって、酸化剤ガス流路４３ａの出口側平行流路の部分では、図５（ａ）に示すように、生成水の凝縮によって酸化剤ガス流路４３ａ表面に形成された液相の水がカソードセパレータ４３内部を純水流路４３ｂ側に向かって移動する。一方、酸化剤ガス流路４３ａの入口側平行流路の部分では、図５（ｂ）に示すように、酸化剤ガスの加湿によって酸化剤ガス流路４３ａ表面で水が気化してカソードセパレータ４３内部の水を奪うので、純水流路４３ｂを流れる純水がカソードセパレータ４３内部を酸化剤ガス流路４３ａ側に向かって移動する。このようなカソードセパレータ４３内部での水の動きによって、カソードセパレータ４３内部に常に充分な水が存在することになり、この水で酸化剤ガスが加湿されて膜・電極接合体４１に供給されることで、膜・電極接合体４１の固体高分子膜の水分が最適に保たれることになる。また、このとき、酸化剤ガス流路４３ａを流れる酸化剤ガスは、カソードセパレータ４３に水シール機能が働いているので、純水流路４３ｂ側へと漏れ出すことはない。
【００５１】
以上のように、カソードセパレータ４３にポーラスプレートを用いた燃料電池１では、当該燃料電池１での電気化学反応によって生じる生成水が、主に酸化剤ガス流路４３ａの出口側平行流路の部分で凝縮して液水となったものを、カソードセパレータ４３を介して純水流路４３ｂ側へと回収して酸化剤ガス流路４３ａ上流側での加湿に用いることで、燃料電池１内部での水分バランスを保つようにしている。ここで、酸化剤ガス流路４３ａの出口側平行流路の部分で、液水となった生成水をカソードセパレータ４３内部を通じて純水流路４３ｂ側へと適切に回収させるためには、酸化剤ガス流路４３ａ側の圧力、すなわち酸化剤ガスの圧力が、純水流路４３ｂ側の圧力、すなわち純水の圧力よりも高くなっていることが必要であり、このような燃料電池１を備える燃料電池システムでは、酸化剤ガス及び燃料ガス（反応ガス）の圧力を、純水の圧力よりも高い圧力となることを前提条件として、これらの圧力を制御している。
【００５２】
このとき、反応ガスの圧力と純水の圧力との圧力差が大きいほど、酸化剤ガス流路４３ａの出口側平行流路の部分で液水となった生成水が純水流路４３ｂ側へと回収され易くなる。したがって、反応ガスの圧力と純水の圧力との圧力差が大きいほど、フラディングを防止する効果が高まることになり、フラッディング防止の観点からは、反応ガスの圧力と純水の圧力との圧力差を大きくする方が有利となる。フラッディングとは、電気化学反応によって発生した生成水が反応面から除去できずに、反応面への反応ガスの供給が不安定になることにより、燃料電池１での適切な発電が阻害される現象をいう。
【００５３】
また、その一方で、反応ガスの圧力と純水の圧力との圧力差が大きいほど、酸化剤ガス流路４３ａの入口側平行流路の部分では、純水流路４３ｂ側から酸化剤ガス流路４３ａ側へと移動する純水の移動スピードが低下するため、加湿が不十分なドライアウトと呼ばれる現象を生じやすくなり、ドライアウト防止の観点からは、反応ガスの圧力と純水の圧力との圧力差を小さくする方が有利となる。ドライアウトとは、純水流路４３ｂからカソードセパレータ４３を介して酸化剤ガス流路４３ａ側へと移動する水分量が不足し、加湿量が十分となって膜・電極接合体４１の固体高分子膜が乾燥することによって、燃料電池１での適切な発電が阻害される現象をいう。
【００５４】
図６は、酸化剤ガス流路４３ａ中の酸化剤ガス圧力と純水流路４３ｂ中の純水圧力との関係を示したものである。上述したように、これら酸化剤ガス流路４３ａ及び純水流路４３ｂでは、常に酸化剤ガスの圧力が純水の圧力よりも高くなるように、これらの圧力が制御されている。ここで、酸化剤ガスの流路出口側の圧力と純水の流路入口側の圧力との圧力差をΔＰ２とすると、このΔＰ２が流路中における酸化剤ガスの圧力と純水の圧力との圧力差の最小値となる。この圧力差の最小値であるΔＰ２をある程度確保しておかないと、フラッディングが発生することになる。
【００５５】
また、酸化剤ガスの流路入口側の圧力と純水の流路出口側の圧力との圧力差をΔＰ１とすると、このΔＰ１が流路中における酸化剤ガスの圧力と純水の圧力との圧力差の最大値となる。この圧力差の最大値であるΔＰ１が、カソードセパレータ４３のバブルプレッシャであるΔＰＢよりも大きくなると、カソードセパレータ４３の水シールが機能しなくなって、酸化剤ガス流路４３ａ側から純水流路４３ｂ側へと酸化剤ガスが漏れ出してしまうことになるので、ΔＰ１はΔＰＢよりも小さくする必要がある。
【００５６】
図７は、酸化剤ガスの流路入口側の圧力と純水の流路出口側の圧力との圧力差ΔＰ１の大きさと、酸化剤ガス流路４３ａ側から純水流路４３ｂ側への酸化剤ガスの漏れ量との関係を示したものである。この図７に示すように、ΔＰ１がΔＰＢよりも小さい値に保たれていれば、酸化剤ガス流路４３ａ側から純水流路４３ｂ側へと酸化剤ガスが漏れ出すことはないが、ΔＰ１がΔＰＢを越えると酸化剤ガスのガス漏れが始まり、ΔＰ１が大きくなるにつれて、酸化剤ガスの漏れ量が急激に増加することになる。
【００５７】
燃料電池システムでは、燃料電池１に要求される要求出力に応じて燃料電池１へと供給する燃料ガス及び酸化剤ガス（反応ガス）の流量が決定される。このとき、反応ガスの圧損の増加を抑えるために、反応ガスの流量変化に伴って反応ガスの圧力も変化させるようにしているが、反応ガス（本実施形態では酸化剤ガス）の圧力との純水の圧力との圧力差は、上述したように燃料電池１内部における水バランスに大きく影響するので、これらの圧力差を最適に制御することが望まれる。ここで、流路中における酸化剤ガスの圧力と純水の圧力との圧力差の最小値ΔＰ２が常に既定値以上となるようにこれらの圧力差を制御すると、システムの運転状況によっては、流路中における酸化剤ガスの圧力と純水の圧力との圧力差の最大値ΔＰ１がカソードセパレータ４３のバブルプレッシャΔＰＢよりも大きくなって、酸化剤ガスのガス漏れが生じてしまう場合がある。
【００５８】
そこで、本実施形態の燃料電池システムでは、制御ユニット２が燃料電池１の湿潤状態を判定し、その判定結果に応じて酸化剤ガスの圧力と純水の圧力との圧力差を最適な状態に制御するようにしている。具体的には、燃料電池１が水過剰状態にあってフラッディングが発生する状況にある場合には、これらの圧力差を増加させて、カソードセパレータ４３の酸化剤流路４３ａ側から純水流路４３ｂ側への水の移動を積極的に生じさせ、燃料電池１での電気化学反応によって発生した生成水を反応面から除去できるようにしている。また、燃料電池１が乾燥状態にあってドライアウトが発生する状況にある場合には、これらの圧力差を減少させて、カソードセパレータ４３の純水流路４３ｂ側から酸化剤流路４３ａ側への水の移動を積極的に生じさせ、このカソードセパレータ４３内部を移動する水によって十分な加湿が行われるようにしている。
【００５９】
ここで、燃料電池１の湿潤状態は、セル電圧センサ２８によって検出される燃料電池１のセル電圧に基づいて判定することが可能である。
【００６０】
燃料電池１の湿潤状態が標準状態のときのセル電圧の変化の様子を図８（ａ）、水過剰状態のときのセル電圧の変化の様子を図８（ｂ）にそれぞれ示す。これら図８（ａ）及び図８（ｂ）に示すように、燃料電池１の内部が水過剰状態となると、電気化学反応によって発生する生成水が反応面から確実に除去されずに、反応ガスの供給が不安定となるため、標準の湿潤状態のときと比べて、セル電圧に大きなばらつきが発生することになる。したがって、このセル電圧ＶＣのばらつきとして、例えば標準偏差σＶＣを見ることによって、燃料電池１内部の水過剰状態によるフラッディングの発生を予測することができる。
【００６１】
本実施形態の燃料電池システムでは、制御ユニット２でこのセル電圧ＶＣの標準偏差σＶＣから燃料電池１が水過剰状態となっているか否か判定し、フラッディングの発生が予測される場合には、酸化剤ガスの圧力と純水の圧力との圧力差を増加させるように、これらの圧力差を制御することによって、生成水を反応面から除去できるようにしている。
【００６２】
燃料電池１の湿潤状態が標準状態のときのセル電圧の変化の様子を図９（ａ）、乾燥状態のときのセル電圧の変化の様子を図９（ｂ）にそれぞれ示す。これら図９（ａ）及び図９（ｂ）に示すように、燃料電池１の内部が乾燥状態となると、膜・電極接合体４１の固体高分子膜が乾燥してセル抵抗が増加するため、標準の湿潤状態のときと比べて、セル電圧が低下することになる。したがって、このセル電圧の低下代ΔＶＣを見ることによって、燃料電池１内部の乾燥状態によるドライアウトの発生を予測することができる。
【００６３】
本実施形態の燃料電池システムでは、制御ユニット２でこのセル電圧の低下代ΔＶＣから燃料電池１が乾燥状態となっているか否かを判定し、ドライアウトの発生が予測される場合には、酸化剤ガスの圧力と純水の圧力との圧力差を減少させるように、これらの圧力差を制御することによって、純水流路４３ｂ側から酸化剤ガス流路４３ａ側へと純水が流れ易くなるようにしている。
【００６４】
ここで、本実施形態の燃料電池システムで特徴的な制御ユニット２による差圧制御の一例について、図１０のフローチャートに沿って具体的に説明する。
【００６５】
制御ユニット２は、先ず、ステップＳ１０１において、燃料電池１に要求される要求出力Ｗと、温度センサ２７によって検出される燃料電池１の温度検出値ＴＦとを読み込む。なお、ここでは燃料電池１の温度として温度センサ２７によって検出される燃料電池１自体の温度検出値を用いているが、燃料電池１に供給される冷却液の温度が燃料電池１の温度を反映しているので、この冷却液の温度を温度センサで検出してその検出値を用いるようにしてもよい。
【００６６】
そして、ステップＳ１０２において、これら読み込んだ要求出力Ｗと温度検出値ＴＦとに基づいて、反応ガス（ここでは酸化剤ガス）の基準圧力ＰＢＡＳＥ＿Ｒと、加湿用の純水の基準圧力ＰＢＡＳＥ＿Ｗとを設定する（基準圧力設定手段３１）。ここで、反応ガスの基準圧力ＰＢＡＳＥ＿Ｒは、図１１に示すようなマップを用いて算出する。この図１１に示すように、反応ガスの基準圧力ＰＢＡＳＥ＿Ｗは、燃料電池１に要求される要求出力Ｗが高いほど、また、燃料電池１の温度検出値ＴＦが高いほど高い値に設定される。なお、燃料電池１の温度が低いときに反応ガス圧力を下げるのは、その圧力低下分を反応ガスの流量増加によって賄うことでガスの流速を高くし、生成水を押し流すためである。また、純水の基準圧力ＰＢＡＳＥ＿Ｗは、図１２に示すようなマップを用いて算出する。この図１２に示すように、純水の基準圧力ＰＢＡＳＥ＿Ｗは、燃料電池１に要求される要求出力Ｗが高いほど高い値に設定される。
【００６７】
次に、制御ユニット２は、ステップＳ１０３において、セル電圧センサ２８によって検出される燃料電池１のセル電圧検出値ＶＣを読み込む。そして、ステップＳ１０４において、セル電圧ＶＣの降下代ΔＶＣに基づいて、燃料電池１内部が乾燥状態にあるか否かを判定する（湿潤状態判定手段３２）。具体的には、セル電圧ＶＣの降下代ΔＶＣと所定の判定閾値ΔＶＣ０（例えば１ｍＶ／ｈｏｕｒ）とを比較して、セル電圧降下代ΔＶＣが閾値ΔＶＣ０を越えていれば、燃料電池１内部がドライアウトに繋がる乾燥状態にあると判定して次のステップＳ１０５に進み、セル電圧降下代ΔＶＣが閾値ΔＶＣ０以下であればステップＳ１０７へと処理を移行する。
【００６８】
ステップＳ１０４で燃料電池１内部がドライアウトに繋がる乾燥状態にあると判定した場合、制御ユニット２は、次に、ステップＳ１０５において、純水の基準圧力ＰＢＡＳＥ＿Ｗに対する補正値αを設定し、ステップＳ１０６において、純水の基準圧力ＰＢａｓｅ＿Ｗを補正値αで補正して、純水の目標圧力ＰＴＡＲＧＥＴ＿Ｗ（ＰＴＡＲＧＥＴ＿Ｗ＝ＰＢＡＳＥ＿Ｗ＋α）を設定する（目標圧力設定手段３３）。ここで、基準圧力ＰＢＡＳＥ＿Ｗに対する補正値αは、例えば１ｋＰａとする。なお、本例では、反応ガスの目標圧力ＰＴＡＲＧＥＴ＿Ｒについては、ステップＳ１０２で設定した反応ガスの基準圧力ＰＢＡＳＥ＿Ｒがそのまま反応ガスの目標圧力ＰＴＡＲＧＥＴ＿Ｒとして設定される。
【００６９】
一方、ステップＳ１０４で燃料電池１内部が乾燥状態にないと判定した場合、制御ユニット２は、次に、ステップＳ１０７において、セル電圧検出値ＶＣのばらつき（標準偏差）σＶＣに基づいて、燃料電池１内部が水過剰状態にあるか否かを判定する（湿潤状態判定手段３２）。具体的には、セル電圧ＶＣのばらつきσＶＣと所定の判定閾値σＶＣ０（例えば５ｍＶ）とを比較して、セル電圧ばらつきσＶＣが閾値σＶＣ０を越えていれば、燃料電池１内部がフラッディングに繋がる水過剰状態にあると判定して次のステップＳ１０８に進み、セル電圧ばらつきσＶＣが閾値σＶＣ０以下であればステップＳ１１２へと処理を移行する。
【００７０】
ステップＳ１０７で燃料電池１内部がフラッディングに繋がる水過剰状態にあると判定した場合、制御ユニット２は、次に、ステップＳ１０８において、純水の基準圧力ＰＢａｓｅ＿Ｗに対する補正値βを設定し、ステップＳ１０９において、純水の基準圧力ＰＢＡＳＥ＿Ｗを補正値βで補正した純水の目標圧力ＰＴＡＲＧＥＴ＿Ｗ（ＰＴＡＲＧＥＴ＿Ｗ＝ＰＢＡＳＥ＿Ｗ−β）を設定する（目標圧力設定手段３３）。ここで、基準圧力ＰＢＡＳＥ＿Ｗに対する補正値βは、例えば２ｋＰａとする。なお、この場合も、反応ガスの目標圧力ＰＴＡＲＧＥＴ＿Ｒについては、ステップＳ１０２で設定した反応ガスの基準圧力ＰＢＡＳＥ＿Ｒがそのまま反応ガスの目標圧力ＰＴＡＲＧＥＴ＿Ｒとして設定される。
【００７１】
次に、制御ユニット２は、ステップＳ１１０において、反応ガス（本例では酸化剤ガス）の圧力と純水の圧力とをステップＳ１０９で設定した目標圧力とした場合における、カソードセパレータ４３内でのこれらの圧力差の最大値ΔＰ１を求める。そして、ステップＳ１１１において、この圧力差の最大値ΔＰ１が、カソードセパレータ４３のバブルプレッシャであるΔＰＢよりも大きくなるかどうかを判定する。この判定の結果、圧力差の最大値ΔＰ１がΔＰＢ以下であれば、ステップＳ１０９で設定した純水の目標圧力ＰＴＡＲＧＥＴ＿Ｗ（ＰＴＡＲＧＥＴ＿Ｗ＝ＰＢＡＳＥ＿Ｗ−β）が維持されるが、圧力差の最大値ΔＰ１がΔＰＢよりも大きくなると判定された場合には、ガス漏れが生じる懸念があるので、次のステップＳ１１２において、純水の目標圧力ＰＴＡＲＧＥＴ＿Ｗを補正値βで補正する前の圧力、すなわちステップＳ１０２で設定した純水の基準圧力ＰＢＡＳＥ＿Ｗに戻す。
【００７２】
また、ステップＳ１０４で燃料電池１内部が乾燥状態にないと判定し、且つ、ステップＳ１０７で燃料電池１内部が水過剰状態でもないと判定した場合にも、ステップＳ１１２において、ステップＳ１０２で設定した純水の基準圧力ＰＢＡＳＥ＿Ｗがそのまま純水の目標圧力ＰＴＡＲＧＥＴ＿Ｗとして設定され、また、ステップＳ１０２で設定した反応ガスの基準圧力ＰＢＡＳＥ＿Ｒがそのまま反応ガスの目標圧力ＰＴＡＲＧＥＴ＿Ｒとして設定される。
【００７３】
最後に、制御ユニット２は、ステップＳ１１３において、ステップＳ１０６、またはステップＳ１０９、またはステップＳ１１２で設定した目標圧力ＰＴＡＲＧＥＴ＿Ｒ、ＰＴＡＲＧＥＴ＿Ｗを実現するように、反応ガス供給系の動作（本例では酸化剤ガス供給系の調圧バルブ１３の動作）を制御する（反応ガス圧力制御手段３４）と共に、純水供給系の純水ポンプ２３の動作を制御して（純水圧力制御手段３５）、リターンする。
【００７４】
以上説明したように、本実施形態の燃料電池システムでは、制御ユニット２が燃料電池１の湿潤状態を判定し、燃料電池１内部がドライアウトに繋がるような乾燥状態にあるときは、反応ガス（本例では酸化剤ガス）の圧力と純水の圧力との圧力差を減少させて、純水流路４３ｂ側から反応ガス流路（本例では酸化剤ガス流路４３ａ）側への水分移動を積極的に生じさせるようにしていると共に、燃料電池１内部がフラッディングに繋がるような水過剰状態にあるときには、反応ガス（本例では酸化剤ガス）の圧力と純水の圧力との圧力差をポーラスプレートのバブルプレッシャを越えない範囲で増加させて、反応ガス流路（本例では酸化剤ガス流路４３ａ）側から純水流路４３ｂ側への水分移動を積極的に生じさせるようにしているので、燃料電池１の運転条件や環境条件に因らず、常に燃料電池１内部の水分バランスを最適な状態に保って、ドライアウトの発生やフラッディングの発生を有効に抑制することができる。
【００７５】
なお、以上説明した例では、カソードセパレータ４３をポーラスプレートで構成し、このカソードセパレータ４３内部を通じて水分を移動させることを前提として、燃料電池１の湿潤状態に応じて酸化剤ガスの圧力と純水の圧力との圧力差を制御するようにしているが、アノードセパレータ４２をポーラスプレートで構成し、このアノードセパレータ４２内部を通じて水分を移動させる場合には、上述した例と同様に、燃料電池１の湿潤状態に応じて燃料ガスの圧力と純水の圧力との圧力差を制御するようにすれば、同様の効果を得ることができる。
【００７６】
（第２の実施形態）
次に、本発明を適用した燃料電池システムの第２の実施形態について説明する。本実施形態の燃料電池システムは、燃料電池１のアノードセパレータ４２とカソードセパレータ４３の双方をポーラスプレートで構成し、反応ガスと純水の圧力差を反応ガスの圧力で制御するようにした点に特徴を有するものである。なお、基本的なシステム構成は上述した第１の実施形態と同様であるので、以下、第１の実施形態と同様の部分については重複した説明を省略し、本実施形態に特徴的な部分について詳しく説明する。
【００７７】
図１３は、本実施形態の燃料電池システムで使用される固体高分子型の燃料電池１の単セル構造を示す断面図である。本実施形態の燃料電池システムで使用される燃料電池１では、アノードセパレータ４２とカソードセパレータ４３の双方がポーラスプレートで構成されている。そして、カソードセパレータ４３に純水流路４３ｂが形成されている点は第１の実施形態で使用した燃料電池１（図３参照）と同様であるが、本実施形態で使用する燃料電池１では、アノードセパレータ４２の燃料ガス流路４２ａが形成された面とは逆側の面にも、加湿用の純水を流通させる純水流路４２ｂが形成されている。
【００７８】
この燃料電池１では、アノードセパレータ４２に形成された純水流路４２ｂに純水を流通させることで、カソードセパレータ４３と同様に、アノードセパレータ４２内部の空間（孔）も純水で満たされることになる。そして、このように内部の空間が純水で満たされることによって、アノードセパレータ４２に水シール機能が働いて、燃料ガス流路４２ａを流れる燃料ガスが純水流路４２ｂ側へと漏れ出すことが防止される。
【００７９】
また、本実施形態で使用する燃料電池１では、アノードセパレータ４２とカソードセパレータ４３の双方がポーラスプレートで構成されたことに伴い、ソリッドプレートよりなる冷却プレート４４は、冷却液流路４４ａがプレート内部を貫通するように形成されて、冷却液流路４４ａを流れる冷却液がアノードセパレータ４２やカソードセパレータ４３側に漏れ出すことが防止されている。
【００８０】
図１４は、本実施形態の燃料電池システムで使用される燃料電池１における燃料ガス流路４２ａ中の燃料ガスの圧力と、酸化剤ガス流路４３ａ中の酸化剤ガス圧力と、純水流路４２ｂ，４３ｂ中の純水圧力との関係を示したものである。この燃料電池１においては、フラッディングを防止するためには、酸化剤ガスの流路出口側の圧力と純水の流路入口側の圧力との圧力差ΔＰ２だけでなく、燃料ガスの流路出口側の圧力と純水の流路入口側の圧力との圧力差ΔＰ３についても考慮する必要があるが、フラッディングが発生し易いのは、電気化学反応によって生成水が発生するカソード側である。そこで、本実施形態の燃料電池システムでは、燃料電池１の湿潤状態を判定して、燃料電池１内部が水過剰状態にあるときは酸化剤ガスの圧力調整によって、酸化剤ガスの圧力と純水の圧力との圧力差を増加させるように制御するようにしている。
【００８１】
また、一方で、ドライアウトが発生し易いのは、水素イオンが固体高分子膜を通過する際に水分が奪われるアノード側である。そこで、本実施形態の燃料電池システムでは、燃料電池１の湿潤状態を判定して、燃料電池１内部が乾燥状態にあるときは燃料ガスの圧力調整によって、燃料ガスの圧力と純水の圧力との圧力差を減少させるように制御するようにしている。
【００８２】
ここで、本実施形態の燃料電池システムにおいて、制御ユニット２により実行される差圧制御の一例について、図１５のフローチャートに沿って具体的に説明する。
【００８３】
燃料ガス及び酸化剤ガス（反応ガス）と純水との差圧制御を行う場合、制御ユニット２は、先ず、ステップＳ２０１において、燃料電池１に要求される要求出力Ｗと、温度センサ２７によって検出される燃料電池１の温度検出値ＴＦとを読み込んで、ステップＳ２０２において、これら読み込んだ要求出力Ｗと温度検出値ＴＦとに基づいて、燃料ガスの基準圧力ＰＢＡＳＥ＿ＲＦと、酸化剤ガスの基準圧力ＰＢＡＳＥ＿ＲＡと、加湿用の純水の基準圧力ＰＢＡＳＥ＿Ｗとを設定する（基準圧力設定手段３１）。ここで、燃料ガスの基準圧力ＰＢＡＳＥ＿ＲＦと酸化剤ガスの基準圧力ＰＢＡＳＥ＿ＲＡとは、これらの圧力差が固体高分子膜の耐圧特性を上回ることがない範囲内で設定される。
【００８４】
次に、制御ユニット２は、ステップＳ２０３において、セル電圧センサ２８によって検出される燃料電池１のセル電圧検出値ＶＣを読み込んで、ステップＳ２０４において、セル電圧ＶＣの降下代ΔＶＣに基づいて、燃料電池１内部が乾燥状態にあるか否かを判定する（湿潤状態判定手段３２）。具体的には、セル電圧ＶＣの降下代ΔＶＣと所定の判定閾値ΔＶＣ０（例えば１ｍＶ／ｈｏｕｒ）とを比較して、セル電圧降下代ΔＶＣが閾値ΔＶＣ０を越えていれば、燃料電池１内部がドライアウトに繋がる乾燥状態にあると判定して次のステップＳ２０５に進み、セル電圧降下代ΔＶＣが閾値ΔＶＣ０以下であればステップＳ２０７へと処理を移行する。
【００８５】
ステップＳ２０４で燃料電池１内部がドライアウトに繋がる乾燥状態にあると判定した場合、制御ユニット２は、次に、ステップＳ２０５において、燃料ガスの基準圧力ＰＢＡＳＥ＿ＲＦに対する補正値αを設定し、ステップＳ２０６において、燃料ガスの基準圧力ＰＢＡＳＥ＿ＲＦを補正値αで補正して、燃料ガスの目標圧力ＰＴＡＲＧＥＴ＿ＲＦ（ＰＴＡＲＧＥＴ＿ＲＦ＝ＰＢＡＳＥ＿ＲＦ−α）を設定する（目標圧力設定手段３３）。ここで、燃料ガスの基準圧力ＰＢＡＳＥ＿ＲＦに対する補正値αは、例えば１ｋＰａとする。なお、ここでは、酸化剤ガスの目標圧力ＰＴＡＲＧＥＴ＿ＲＡ及び純水の目標圧力ＰＴＡＲＧＥＴ＿Ｗについては、ステップＳ２０２で設定した基準圧力ＰＢＡＳＥ＿ＲＡ、ＰＢＡＳＥ＿Ｗがそのまま酸化剤ガスの目標圧力ＰＴＡＲＧＥＴ＿ＲＡ、純水の目標圧力ＰＴＡＲＧＥＴ＿Ｗとして設定される。
【００８６】
一方、ステップＳ２０４で燃料電池１内部が乾燥状態にないと判定した場合、制御ユニット２は、次に、ステップＳ２０７において、セル電圧検出値ＶＣのばらつき（標準偏差）σＶＣに基づいて、燃料電池１内部が水過剰状態にあるか否かを判定する（湿潤状態判定手段３２）。具体的には、セル電圧ＶＣのばらつきσＶＣと所定の判定閾値σＶＣ０（例えば５ｍＶ）とを比較して、セル電圧ばらつきσＶＣが閾値σＶＣ０を越えていれば、燃料電池１内部がフラッディングに繋がる水過剰状態にあると判定して次のステップＳ２０８に進み、セル電圧ばらつきσＶＣが閾値σＶＣ０以下であればステップＳ２１２へと処理を移行する。
【００８７】
ステップＳ２０７で燃料電池１内部がフラッディングに繋がる水過剰状態にあると判定した場合、制御ユニット２は、次に、ステップＳ２０８において、酸化剤ガスの基準圧力ＰＢＡＳＥ＿ＲＡに対する補正値βを設定し、ステップＳ２０９において、酸化剤ガスの基準圧力ＰＢＡＳＥ＿ＲＡを補正値βで補正した酸化剤ガスの目標圧力ＰＴＡＲＧＥＴ＿ＲＡ（ＰＴＡＲＧＥＴ＿ＲＡ＝ＰＢＡＳＥ＿ＲＡ＋β）を設定する（目標圧力設定手段３３）。ここで、酸化剤ガスの基準圧力ＰＢＡＳＥ＿ＲＡに対する補正値βは、例えば２ｋＰａとする。なお、ここでは、燃料ガスの目標圧力ＰＴＡＲＧＥＴ＿ＲＦ及び純水の目標圧力ＰＴＡＲＧＥＴ＿Ｗについては、ステップＳ２０２で設定した基準圧力ＰＢＡＳＥ＿ＲＦ、ＰＢＡＳＥ＿Ｗがそのまま燃料ガスの目標圧力ＰＴＡＲＧＥＴ＿ＲＦ、純水の目標圧力ＰＴＡＲＧＥＴ＿Ｗとして設定される。
【００８８】
次に、制御ユニット２は、ステップＳ２１０において、酸化剤ガスの圧力と純水の圧力とをステップＳ２０９で設定した目標圧力とした場合における、カソードセパレータ４３内でのこれらの圧力差の最大値ΔＰ１を求める。そして、ステップＳ２１１において、この圧力差の最大値ΔＰ１が、カソードセパレータ４３のバブルプレッシャであるΔＰＢよりも大きくなるかどうかを判定する。この判定の結果、圧力差の最大値ΔＰ１がΔＰＢ以下であれば、ステップＳ２０９で設定した酸化剤ガスの目標圧力ＰＴＡＲＧＥＴ＿ＲＡ（ＰＴＡＲＧＥＴ＿ＲＡ＝ＰＢＡＳＥ＿ＲＡ＋β）が維持されるが、圧力差の最大値ΔＰ１がΔＰＢよりも大きくなると判定された場合には、ガス漏れが生じる懸念があるので、次のステップＳ２１２において、酸化剤ガスの目標圧力ＰＴＡＲＧＥＴ＿ＲＡを補正値βで補正する前の圧力、すなわちステップＳ２０２で設定した酸化剤ガスの基準圧力ＰＢＡＳＥ＿ＲＡに戻す。
【００８９】
また、ステップＳ２０４で燃料電池１内部が乾燥状態にないと判定し、且つ、ステップＳ２０７で燃料電池１内部が水過剰状態でもないと判定した場合にも、ステップＳ２１２において、ステップＳ２０２で設定した基準圧力ＰＢＡＳＥ＿ＲＦ、ＰＢＡＳＥ＿ＲＡ、ＰＢＡＳＥ＿Ｗが、そのまま燃料ガスの目標圧力ＰＴＡＲＧＥＴ＿ＲＦ、酸化剤ガスの目標圧力ＰＴＡＲＧＥＴ＿ＲＡ、純水の目標圧力ＰＴＡＲＧＥＴ＿Ｗとしてそれぞれ設定される。
【００９０】
最後に、制御ユニット２は、ステップＳ２１３において、ステップＳ２０６、またはステップＳ２０９、またはステップＳ２１２で設定した目標圧力ＰＴＡＲＧＥＴ＿ＲＦ、ＰＴＡＲＧＥＴ＿ＲＡ、ＰＴＡＲＧＥＴ＿Ｗを実現するように、燃料ガス供給系の動作（調圧バルブ４の動作）や酸化剤ガス供給系の動作（調圧バルブ１３の動作）を制御する（反応ガス圧力制御手段３４）と共に、純水供給系の純水ポンプ２３の動作を制御して（純水圧力制御手段３５）、リターンする。
【００９１】
以上説明したように、本実施形態の燃料電池システムでは、制御ユニット２が燃料電池１の湿潤状態を判定し、燃料電池１内部がドライアウトに繋がるような乾燥状態にあるときは、ドライアウトが発生し易いアノード側の燃料ガスの圧力を制御して、この燃料ガスと純水との圧力差を減少させ、純水流路４２ｂ側から燃料ガス流路４２ａ側への水分移動を積極的に生じさせるようにしていると共に、燃料電池１内部がフラッディングに繋がるような水過剰状態にあるときには、フラッディングが発生し易いカソード側の酸化剤ガスの圧力を制御して、酸化剤ガスと純水との圧力差をポーラスプレートのバブルプレッシャを越えない範囲で増加させて、酸化剤ガス流路４３ａ側から純水流路４３ｂ側への水分移動を積極的に生じさせるようにしているので、燃料電池１の運転条件や環境条件に因らず、燃料電池１内部の水分バランスをより最適な状態に保って、ドライアウトの発生やフラッディングの発生を極めて有効に抑制することができる。
【００９２】
（第３の実施形態）
次に、本発明を適用した燃料電池システムの第３の実施形態について説明する。本実施形態の燃料電池システムは、燃料電池１が備えるポーラスタイプのセパレータの両面に、反応ガス流路と純水流路とが互いに平行となる流路形状で形成されている点に特徴を有するものである。なお、基本的なシステム構成及び差圧制御の概要は上述した第１の実施形態と同様であるので、以下、第１の実施形態と同様の部分については重複した説明を省略し、本実施形態に特徴的な部分について、カソードセパレータ４３がポーラスプレートで構成されている場合を例に挙げて詳しく説明する。
【００９３】
図１６は、本実施形態の燃料電池システムで使用される燃料電池１において、ポーラスタイプのセパレータとされたカソードセパレータ４３を示す平面図であり、図１６（ａ）が酸化剤ガス流路４３ａが形成された面、図１６（ｂ）が純水流路４３ｂが形成された面をそれぞれ示している。このカソードセパレータ４８には、上述した第１の実施形態と同様に、燃料ガス供給マニホールド４５及び燃料ガス排出マニホールド４６、酸化剤ガス供給マニホールド４７及び酸化剤ガス排出マニホールド４８、冷却液供給マニホールド４９及び冷却液排出マニホールド５０、純水供給マニホールド５１及び純水排出マニホールド５２の計８つのマニホールドが、厚み方向に貫通するように形成されている。
【００９４】
カソードセパレータ４３の酸化剤ガス流路４３ａは、図１６（ａ）に示すように、入口側平行流路を流れる酸化剤ガスが集合流路で折り返されて出口側平行流路を流れるリターンタイプのフローパターンとされており、入口側平行流路が酸化剤ガス供給マニホールド４７に、出口側平行流路が酸化剤ガス排出マニホールド４８にそれぞれ接続されている。また、カソードセパレータ４３の純水流路４３ｂは、図１６（ｂ）に示すように、酸化剤ガス流路４３ａと同様のリターンタイプのフローパターンとされており、純水供給マニホールド５１に接続される入口側平行流路と純水排出マニホールド５２に接続される出口側平行流路とが、それぞれ酸化剤ガス流路４３ａの入口側平行流路及び出口側平行流路に対して平行となるように配置されている。そして、純水が流れる方向と酸化剤ガスが流れる方向とが同一方向となるように構成されている。
【００９５】
したがって、本実施形態の燃料電池システムで使用される燃料電池１においては、カソードセパレータ４３の酸化剤ガス流路４３ａを流れる酸化剤ガスの圧力が低下する方向と、純水流路４３ｂを流れる純水の圧力が低下する方向とが一致することになり、これら酸化剤ガスの圧力と純水の圧力との圧力差の確保が容易となる。
【００９６】
図１７は、本実施形態の燃料電池システムで使用される燃料電池１における酸化剤ガス流路４３ａ中の酸化剤ガス圧力と純水流路４３ｂ中の純水圧力との関係を示したものである。本実施形態の燃料電池システムで使用される燃料電池１では、酸化剤ガス流路４３ａと純水流路４３ｂとが互いに平行に形成され、酸化剤ガスが流れる方向と純水が流れる方向とが同一方向となっているので、これら酸化剤ガスの圧力と純水の圧力との圧力差としては、各々の流路の同じ場所で比較すればよいことになる。したがって、例えばフラッディングに対する影響が大きい圧力差については、酸化剤ガスの出口側の圧力と純水の出口側の圧力との圧力差（第１の実施形態で説明したΔＰ２に相当）を見ればよく、フラッディングを抑制するための圧力差の確保が容易となる。また、酸化剤ガスと純水との圧力差を容易に確保できるということは、各流体が流路を流れる過程での圧損をある程度大きく取れることを意味する。そして、圧損を大きく取れるということは流路を浅くできるということになるので、その分、セパレータ（ここではカソードセパレータ４３）の厚みを薄くして、燃料電池１を構成する各単セルのピッチを短くすることが可能となる。その結果、燃料電池１全体の出力増加を実現することも可能となる。
【００９７】
また、酸化剤ガスと純水の圧力差を酸化剤ガスの圧力で制御することを考えた場合、図１７に示すように、酸化剤ガスの出口側の圧力と純水の出口側の圧力との圧力差（第１の実施形態で説明したΔＰ２に相当）をある程度確保できる範囲で、純水の入口側圧力が酸化剤ガスの入口側圧力よりも高くなるように、酸化剤ガスの圧力を低圧に制御することも可能となる。このように酸化剤ガスの圧力を制御した場合には、入口部分において純水流路４３ｂ側から酸化剤ガス流路４３ａ側へと純水が素速く供給されることになり、酸化剤ガスの加湿を容易に行って、ドライアウトの発生をより効果的に防止することが可能となる。
【００９８】
なお、以上は、カソードセパレータ４３をポーラスプレートで構成した場合を例に挙げて説明したが、アノードセパレータ４２をポーラスプレートで構成した場合には、このアノードセパレータ４２の両面に、燃料ガス流路４２ａと純水流路４２ｂとを互いに平行となる流路形状で形成し、燃料ガスと純水とがこれらの流路に沿って同一方向に流れるようにすれば、以上説明した例と同様の効果を得ることができる。
【図面の簡単な説明】
【００９９】
【図１】本発明を適用した燃料電池システムの概略構成を示す図である。
【図２】前記燃料電池システムの制御ユニットに実現される圧力差制御に関わる機能を示す機能ブロック図である。
【図３】第１の実施形態の燃料電池システムで使用される燃料電池の単セル構造を示す断面図である。
【図４】ポーラスプレートよりなるカソードセパレータの平面図であり、（ａ）は酸化剤ガス流路が形成された面側から見た平面図、（ｂ）は純水流路が形成された面側から見た平面図である。
【図５】ポーラスプレートよりなるカソードセパレータ内部における水移動の様子を模式的に示す図であり、（ａ）は図４中のＡ−Ａ線断面図、（ｂ）図４中のＢ−Ｂ線断面図である。
【図６】酸化剤ガス流路中の酸化剤ガス圧力と純水流路中の純水圧力との関係を示す図である。
【図７】酸化剤ガスの流路入口側の圧力と純水の流路出口側の圧力との圧力差の大きさと、酸化剤ガス流路側から純水流路側への酸化剤ガスの漏れ量との関係を示す図である。
【図８】燃料電池の湿潤状態とセル電圧の変化との関係を示す図であり、（ａ）は燃料電池が標準の湿潤状態のときのセル電圧の変化の様子を示す図、（ｂ）は燃料電池が水過剰状態のときのセル電圧の変化の様子を示す図である。
【図９】燃料電池の湿潤状態とセル電圧の変化との関係を示す図であり、（ａ）は燃料電池が標準の湿潤状態のときのセル電圧の変化の様子を示す図、（ｂ）は燃料電池が乾燥状態のときのセル電圧の変化の様子を示す図である。
【図１０】第１の実施形態の燃料電池システムにおいて、制御ユニットにより実行される差圧制御の一例を示すフローチャートである。
【図１１】燃料電池に要求される要求出力及び燃料電池の温度検出値と、これらに基づいて設定される反応ガスの基準圧力との関係を示す図である。
【図１２】燃料電池に要求される要求出力とこれに基づいて設定される純水の基準圧力との関係を示す図である。
【図１３】第２の実施形態の燃料電池システムで使用される燃料電池の単セル構造を示す断面図である。
【図１４】第２の実施形態を説明する図であり、燃料ガス流路中の燃料ガス圧力及び酸化剤ガス流路中の酸化剤ガス圧力と純水流路中の純水圧力との関係を示す図である。
【図１５】第２の実施形態の燃料電池システムにおいて、制御ユニットにより実行される差圧制御の一例を示すフローチャートである。
【図１６】第３の実施形態の燃料電池システムで使用される燃料電池のポーラスプレートよりなるカソードセパレータの平面図であり、（ａ）は酸化剤ガス流路が形成された面側から見た平面図、（ｂ）は純水流路が形成された面側から見た平面図である。
【図１７】第３の実施形態を説明する図であり、酸化剤ガス流路中の酸化剤ガス圧力と純水流路中の純水圧力との関係を示す図である。
【符号の説明】
【０１００】
１  燃料電池
２  制御ユニット
３  燃料ガス供給装置
４  調圧バルブ
５  燃料ガス供給配管
８  酸化剤ガス供給装置
９  酸化剤ガス供給配管
１３  調圧バルブ
２１  純水タンク
２２  純水循環配管
２３  純水ポンプ
３１  基準圧力設定手段
３２  湿潤状態判定手段
３３  目標圧力設定手段
３４  反応ガス圧力制御手段
３５  純水圧力制御手段
４１  膜・電極接合体
４２  アノードセパレータ
４２ａ  燃料ガス流路
４３  カソードセパレータ
４３ａ  酸化剤ガス流路
４３ｂ  純水流路
【図１】
2006032092.tif 000003
【図２】
2006032092.tif 000004
【図３】
2006032092.tif 000005
【図４】
2006032092.tif 000006
【図５】
2006032092.tif 000007
【図６】
2006032092.tif 000008
【図７】
2006032092.tif 000009
【図８】
2006032092.tif 000010
【図９】
2006032092.tif 000011
【図１０】
2006032092.tif 000012
【図１１】
2006032092.tif 000013
【図１２】
2006032092.tif 000014
【図１３】
2006032092.tif 000015
【図１４】
2006032092.tif 000016
【図１５】
2006032092.tif 000017
【図１６】
2006032092.tif 000018
【図１７】
2006032092.tif 000019